(57)【要約】【課題】ブースターケーブルのクリップを安定した姿勢で救援端子に接続することができ、予期せぬ外力が加えられた場合にもクリップを外れ難くすることができる電気接続箱を提供する。【解決手段】電気接続箱１Ａは、箱本体３Ａの上面から突出した救援端子２と、救援端子２に重ねられた端子支持板３１と、を備えている。救援端子２の近傍には、ブースターケーブルのクリップ１０を水平方向に倒した状態で救援端子２に接続するためのスペースＳ１と、クリップ１０を下から支持する支持部と、が設けられている。前記支持部は、箱本体３Ａに装着された複数のリレー４の上面で構成されている。クリップ１０を救援端子２に接続する際は、クリップ１０を水平方向に倒した状態で救援端子２に近付け、支持部を成すリレー４の上面にクリップ１０を載置した姿勢で救援端子２及び端子支持板３１を側方から挟むようにする。【選択図】図１
2015171183.tif 000002
【特許請求の範囲】
【請求項１】
箱本体の上面から突出し、ブースターケーブルのクリップに挟持される救援端子を備えた電気接続箱において、
前記救援端子の近傍に、前記クリップを水平方向に倒した状態で前記救援端子に接続するためのスペースが設けられ、
前記クリップを水平方向に倒した状態で前記救援端子に接続した際に、当該クリップを下から支持する支持部が設けられている
ことを特徴とする電気接続箱。
【請求項２】
前記支持部が、前記箱本体に装着された電子部品の上面で構成されている
ことを特徴とする請求項１に記載の電気接続箱。
【請求項３】
前記支持部が、前記箱本体の上面で構成されている
ことを特徴とする請求項１に記載の電気接続箱。
【請求項４】
前記救援端子が、前記箱本体の上面から上方に突出した金属性の板部と、該板部の表面から水平方向に突出した金属性の棒部と、で構成され、
前記棒部が前記クリップに挟持される
ことを特徴とする請求項１ないし請求項３のいずれか１項に記載の電気接続箱。
【発明の詳細な説明】
【技術分野】
【０００１】
本発明は、自動車に搭載されて主に電源分配を行う電気接続箱に関するものであり、特に、バッテリ上がり時にブースターケーブルが接続される救援端子を備えた電気接続箱に関するものである。
【背景技術】
【０００２】
自動車に搭載される電気接続箱は様々な構造のものがあるが、例えば、特許文献１に開示された電気接続箱のように、自動車のバッテリ上がり時に、ブースターケーブルのクリップに挟持されて救援車のバッテリと接続される救援端子を備えた構造のものが公知である。
【０００３】
また、図７は、従来の電気接続箱の救援端子にブースターケーブルのクリップが接続された状態を示す図である。この電気接続箱３０１は、リレーやヒューズなどが装着される箱本体３０３の上面から突出した救援端子３０２と、箱本体３０３の一部であり、救援端子３０２に重ねられる端子支持板３３１と、を備えている。
【０００４】
上記救援端子３０２及び上記端子支持板３３１は、ブースターケーブルの端部に設けられたクリップ１０に挟持される。また、クリップ１０は、鉛直方向に起立した姿勢で救援端子３０２及び端子支持板３３１の上部を挟持する。
【先行技術文献】
【特許文献】
【０００５】
【特許文献１】特開２００９−２５２４５３号公報
【発明の概要】
【発明が解決しようとする課題】
【０００６】
上記救援端子３０２を備えた電気接続箱３０１においては、ブースターケーブルのクリップ１０が鉛直方向に起立した姿勢すなわち不安定な姿勢で救援端子３０２及び端子支持板３３１の上部を挟持する接続構造であるがゆえに、このブースターケーブルに予期せぬ外力が加えられた場合、クリップ１０が倒れて外れてしまうことがあるという問題があった。
【０００７】
したがって、本発明は、ブースターケーブルのクリップを安定した姿勢で救援端子に接続することができ、予期せぬ外力が加えられた場合にもクリップを外れ難くすることができる電気接続箱を提供することを目的とする。
【課題を解決するための手段】
【０００８】
請求項１に記載された発明は、箱本体の上面から突出し、ブースターケーブルのクリップに挟持される救援端子を備えた電気接続箱において、前記救援端子の近傍に、前記クリップを水平方向に倒した状態で前記救援端子に接続するためのスペースが設けられ、前記クリップを水平方向に倒した状態で前記救援端子に接続した際に、当該クリップを下から支持する支持部が設けられていることを特徴とする電気接続箱である。
【０００９】
請求項２に記載された発明は、請求項１に記載された発明において、前記支持部が、前記箱本体に装着された電子部品の上面で構成されていることを特徴とするものである。
【００１０】
請求項３に記載された発明は、請求項１に記載された発明において、前記支持部が、前記箱本体の上面で構成されていることを特徴とするものである。
【００１１】
請求項４に記載された発明は、請求項１ないし請求項３のいずれか１項に記載された発明において、前記救援端子が、前記箱本体の上面から上方に突出した金属性の板部と、該板部の表面から水平方向に突出した金属性の棒部と、で構成され、前記棒部が前記クリップに挟持されることを特徴とするものである。
【発明の効果】
【００１２】
請求項１に記載された発明によれば、前記救援端子の近傍に、前記クリップを水平方向に倒した状態で前記救援端子に接続するためのスペースが設けられ、前記クリップを水平方向に倒した状態で前記救援端子に接続した際に、当該クリップを下から支持する支持部が設けられているので、ブースターケーブルのクリップを安定した姿勢で救援端子に接続することができ、予期せぬ外力が加えられた場合にもクリップを外れ難くすることができる電気接続箱を提供することができる。
【００１３】
請求項２に記載された発明によれば、前記支持部が、前記箱本体に装着された電子部品の上面で構成されているので、支持部を形成するために特別な部品が必要ない。
【００１４】
請求項３に記載された発明によれば、前記支持部が、前記箱本体の上面で構成されているので、支持部を形成するために特別な部品が必要ない。
【００１５】
請求項４に記載された発明によれば、前記救援端子が、前記箱本体の上面から上方に突出した金属性の板部と、該板部の表面から水平方向に突出した金属性の棒部と、で構成され、前記棒部が前記クリップに挟持されるので、電気接続箱のレイアウト自由度を向上させることができる。
【図面の簡単な説明】
【００１６】
【図１】本発明の第１の実施形態にかかる電気接続箱の救援端子にブースターケーブルのクリップが接続された状態を示す斜視図である。
【図２】図１に示された救援端子からクリップを外した状態を示す斜視図である。
【図３】本発明の第２の実施形態にかかる電気接続箱の救援端子にブースターケーブルのクリップが接続される様子を示す斜視図である。
【図４】図３に示された救援端子からクリップを外した状態を示す斜視図である。
【図５】本発明の第３の実施形態にかかる電気接続箱の救援端子にブースターケーブルのクリップが接続される様子を示す斜視図である。
【図６】図５に示された救援端子からクリップを外した状態を示す斜視図である。
【図７】従来の電気接続箱の救援端子にブースターケーブルのクリップが接続された状態を示す図である。
【発明を実施するための形態】
【００１７】
（第１の実施形態）
本発明の第１の実施形態にかかる「電気接続箱」を図１〜２を参照して説明する。図１，２に示す電気接続箱１Ａは、自動車に搭載されて主に電源分配を行うものである。この電気接続箱１Ａは、箱本体３Ａの上面から突出し、ブースターケーブルのクリップ１０に挟持される救援端子２と、救援端子２に重ねられた端子支持板３１と、を備えている。
【００１８】
上記箱本体３Ａは、合成樹脂で構成されており、リレーやヒューズ等の電子部品、電線、バスバ等が装着される部材である。
【００１９】
上記救援端子２は、本電気接続箱１Ａが搭載される自動車のバッテリ上がり時に、ブースターケーブルを介して救援車のバッテリと電気接続される部位である。この救援端子２は、金属板により細長い片状に形成されている。
【００２０】
上記端子支持板３１は、箱本体３Ａの一部であり、救援端子２と同形かつ救援端子２よりも厚みが大きい板状に形成されている。この端子支持板３１は、救援端子２と共にクリップ１０に挟持される。
【００２１】
上記救援端子２の近傍には、クリップ１０を水平方向に倒した状態（図１）で救援端子２に接続するためのスペースＳ１が設けられている。
【００２２】
また、電気接続箱１Ａには、クリップ１０を水平方向に倒した状態で救援端子２に接続した際に、クリップ１０を下から支持する支持部が設けられている。本実施形態において、この支持部は、箱本体３Ａの装着部３２に装着された複数のリレー４の上面４ａで構成されている。
【００２３】
上記構成の電気接続箱１Ａにおいて、ブースターケーブルのクリップ１０を救援端子２に接続する際は、図１に示すように、クリップ１０を水平方向に倒した状態で救援端子２に近付け、支持部を成すリレー４の上面４ａにクリップ１０を載置した姿勢で救援端子２及び端子支持板３１を側方から挟むようにする。このように安定した姿勢でクリップ１０を救援端子２に接続することにより、予期せぬ外力がブースターケーブルに加えられた場合でも、クリップ１０を位置ずれし難くすることができると共に救援端子２から外れ難くすることができる。
【００２４】
（第２の実施形態）
本発明の第２の実施形態にかかる「電気接続箱」を図３〜４を参照して説明する。図３〜４において、前述した第１の実施形態と同一構成部分には同一符号を付して説明を省略する。
【００２５】
図３，４に示す電気接続箱１Ｂは、合成樹脂製の箱本体３Ｂの上面から突出し、ブースターケーブルのクリップ１０に挟持される救援端子７と、救援端子７に重ねられた端子支持板３１と、を備えている。
【００２６】
上記救援端子７は、箱本体３Ｂの上面３３から上方に突出した金属性の板部５と、該板部５の表面から水平方向に突出した金属性の棒部６２と、で構成されている。板部５は、細長い片状に形成されており、上部に切欠き５１が形成されている。また、板部５は、端子支持板３１に重ねられている。棒部６２は、ボルト６の一部である。このボルト６は、その頭部６１が圧入又はインサート成型により端子支持板３１に取り付けられており、棒部６２が切欠き５１を通されて板部５の表面から水平方向に突出している。ボルト６と板部５とは接触しており、電気的に接続されている。よって、棒部６２がクリップ１０に挟持されることによりブースターケーブルと板部５とが電気的に接続される。
【００２７】
上記救援端子７の近傍には、クリップ１０を水平方向に倒した状態（図３）で救援端子７に接続するためのスペースＳ２が設けられている。
【００２８】
また、電気接続箱１Ｂには、クリップ１０を水平方向に倒した状態で救援端子７に接続した際に、クリップ１０を下から支持する支持部が設けられている。本実施形態において、この支持部は、箱本体３Ｂの上面３３で構成されている。
【００２９】
上記構成の電気接続箱１Ｂにおいて、ブースターケーブルのクリップ１０を救援端子７に接続する際は、図３に示すように、クリップ１０を水平方向に倒した状態で救援端子７に近付け、支持部を成す箱本体３Ｂの上面３３にクリップ１０を載置した姿勢で棒部６２を挟むようにする。このように安定した姿勢でクリップ１０を救援端子７に接続することにより、予期せぬ外力がブースターケーブルに加えられた場合でも、クリップ１０を位置ずれし難くすることができると共に棒部６２から外れ難くすることができる。
【００３０】
（第３の実施形態）
本発明の第３の実施形態にかかる「電気接続箱」を図５〜６を参照して説明する。図５〜６において、前述した第１，第２の実施形態と同一構成部分には同一符号を付して説明を省略する。
【００３１】
図５，６に示す電気接続箱１Ｃは、合成樹脂製の箱本体３Ｃの上面から突出し、ブースターケーブルのクリップ１０に挟持される救援端子８と、救援端子８に重ねられた端子支持板３１と、を備えている。
【００３２】
上記救援端子８は、箱本体３Ｃの上面３３から上方に突出した金属性の板部５’と、該板部５’の表面から水平方向に突出した金属性の棒部６２と、で構成されている。板部５’は、細長い片状に形成されている。また、板部５’は、端子支持板３１に重ねられている。棒部６２は、板部５’に溶接されており、板部５’と電気的に接続されている。よって、棒部６２がクリップ１０に挟持されることによりブースターケーブルと板部５’とが電気的に接続される。
【００３３】
上記構成の電気接続箱１Ｃにおいて、ブースターケーブルのクリップ１０を救援端子８に接続する際は、図５に示すように、クリップ１０を水平方向に倒した状態で救援端子８に近付け、支持部を成す箱本体３Ｃの上面３３にクリップ１０を載置した姿勢で棒部６２を挟むようにする。このように安定した姿勢でクリップ１０を救援端子８に接続することにより、予期せぬ外力がブースターケーブルに加えられた場合でも、クリップ１０を位置ずれし難くすることができると共に棒部６２から外れ難くすることができる。
【００３４】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３５】
１Ａ，１Ｂ，１Ｃ  電気接続箱
２，７，８  救援端子
３Ａ，３Ｂ，３Ｃ  箱本体
４ａ  上面（支持部）
１０  クリップ
３３  上面（支持部）
【図１】
2015171183.tif 000003
【図２】
2015171183.tif 000004
【図３】
2015171183.tif 000005
【図４】
2015171183.tif 000006
【図５】
2015171183.tif 000007
【図６】
2015171183.tif 000008
【図７】
2015171183.tif 000009